(57)【特許請求の範囲】
【請求項１】
ドーム状に膨出形成した収容部内に略筒状の内容物を収容する樹脂シートからなるブリスターカバーと、収容部の開口側を閉鎖する板体とからなるブリスター包装容器において、
収容部内壁には、内容物の最大径部に対応する部分に、開口側を除いて内容物の周囲に空間を有し、かつ、開口側と膨出側天部内を除いて対向する部分に、内容物に当接して該内容物を挟圧するリブを少なくとも一対設け、
ブリスターカバーは、収容部の開口周縁から平坦に展設したフランジ部を有し、このフランジ部には、溝部が一対対向して形成されており、その対向する溝部内に板体を差し込んで該板体をブリスターカバーに固定可能になっていると共に、
ブリスターカバーは、収容部内壁に対向して設けたリブの間隔が、当該リブに対応する位置の内容物の径方向長さより短く形成されており、
収容部に内容物を収容したときに、リブが内容物に当接して収容部が拡開しかつフランジ部が湾曲し、フランジ部の溝部内に板体を差込んで固定することによってフランジ部の湾曲が矯正されかつ内容物をリブによって挟持する力が発生するようにしたことを特徴とするブリスター包装容器。
【請求項２】
ドーム状に膨出形成した樹脂シートからなるブリスターカバーの収容部内に略筒状の内容物を収容し、該収容部の開口側を板体によって閉鎖して内容物を包装するブリスター包装容器の包装方法において、
収容部に内容物を収容したときに、内容物の最大径部に対応する部分に、開口側を除いて内容物の周囲に空間を有した状態で、開口側と膨出側天部内を除いて対向する部分に少なくとも一対設けたリブを当接させ、
リブが内容物に当接することによって収容部を拡開しかつフランジ部を湾曲させ、
該フランジ部の溝部内に板体を差込んで固定することによってフランジ部の湾曲を矯正させかつ内容物をリブによって挟持する力を発生させることを特徴とするブリスター包装容器の包装方法。
【発明の詳細な説明】
【技術分野】
【０００１】
本発明は、透明の収容部に製品を収容するブリスター包装容器およびブリスター包装容器の包装方法に関する。
【背景技術】
【０００２】
一般に、ブリスターパックと称されるブリスター包装容器は、収容部が透明であるために、内容物が目視できる確認できる包装容器として、乾電池、歯ブラシのような雑貨品、化粧品、機械部品など幅広い分野で採用されている。
【０００３】
ブリスター包装容器の機能の一つとして、収容される内容物によって収容部で位置決め固定する必要があるため、内容物の形状を利用する収容部にリブや凹部を設けて嵌合させて固定する場合がある。これは歯ブラシの毛先保護、複数の乾電池の固定等に用いられる。
【０００４】
また、内容物が外力で変形し易い場合には、収容部の素材の検討や、肉厚増加が必要となり、コストアップの原因となっていた。
【０００５】
ブリスター包装容器の主要部は内容物の形態によって適宜形状に決定されるが、概ね内容物の外形に沿った形状若しくは内容物周囲に空間を設けた蒲鉾形状が挙げられる。なお、製品形状に沿った収容部は、内容物の形状確認効果があり、蒲鉾形状よりも洗練されたイメージがある。
【０００６】
内容物に沿った外形を有する収容部の場合、上記の蒲鉾形状と比較して、外観が洗練されているものの内容物の周囲に外力を緩衝する空間がないため外力に対して変形し易く、収容部の肉厚を増加する必要があり改善が求められていた。
【０００７】
特に、アルミニウム缶等の外的衝撃に弱い内容物を収容する場合、外力から保護してアルミニウム缶の変形を防ぐブリスター包装容器が要請されていた。
【０００８】
これに対して、従来、登録実用新案第３００１５４０号公報（特許文献１）では、容器本体の上下端部に対応して設けられた凹状ビートや凸状ビートによって、巻き上げたフィルム筒状の内容物の位置決めおよび衝撃緩和を行うようにしている。しかしながら、巻かれた内容物との間に空間を設けているのでその空間でガタツキが生じやすい。
【０００９】
また、特開平１０−７２０５８号公報（特許文献２）には、ブリスターカバーの表面に突起を設けて他の容器に当たってもカバー表面に傷つきを防止している包装容器が開示されている。
【００１０】
また、特開平１０−２０３５３５号公報（特許文献３）には、瓶状の円筒容器に非円筒状部分を、また、ブリスターカバーにその非円筒状部分に対応する変形部をそれぞれ設けて、非円筒状部分に変形部を位置させて円筒容器の回転を防止している。
【００１１】
また、（特許文献４）では、製品を包装するブリスターカバーに製品を収容する窪み部の両側に小窪みを設けて包装強度を挙げるようにしている。
【００１２】
しかしながら、従来のブリスター包装容器では、収容する内容物に衝撃が伝わらないように、製品外形形状に合わせて凹部や凸部を設けて強度向上や回転防止をしているが、製品外形形状に合わせた特殊な凹凸部を設けるのは、ブリスターカバーの金型が特殊になり、コスト上昇を招き、また、合わせて衝撃に対して製品に傷を付けないようにする技術はなかった。
【特許文献１】登録実用新案第３００１５４０号公報
【特許文献２】特開平１０−７２０５８号公報
【特許文献３】特開平１０−２０３５３５号公報
【特許文献４】登録実用新案第３１１０６２８号公報
【発明の開示】
【発明が解決しようとする課題】
【００１３】
本発明は、斯かる実情に鑑み、円筒形製品などの略筒状の内容物を収容する際に、その包装する内容物に外部からの衝撃が直接伝わることを防止し、かつ製品が回転することの防止を低コストで実現できるブリスター包装容器およびブリスター包装容器の包装方法を提供しようとするものである。
【課題を解決するための手段】
【００１４】
本発明は、ドーム状に膨出形成した収容部内に略筒状の内容物を収容する樹脂シートからなるブリスターカバーと、収容部の開口側を閉鎖する板体とからなるブリスター包装容器において、
収容部内壁には、内容物の最大径部に対応する部分に、開口側を除いて内容物の周囲に空間を有し、かつ、開口側と膨出側天部内を除いて対向する部分に、内容物に当接して該内容物を挟圧するリブを少なくとも一対設け、
ブリスターカバーは、収容部の開口周縁から平坦に展設したフランジ部を有し、このフランジ部には、溝部が一対対向して形成されており、その対向する溝部内に板体を差し込んで該板体をブリスターカバーに固定可能になっていると共に、
ブリスターカバーは、収容部内壁に対向して設けたリブの間隔が、当該リブに対応する位置の内容物の径方向長さより短く形成されており、
収容部に内容物を収容したときに、リブが内容物に当接して収容部が拡開しかつフランジ部が湾曲し、フランジ部の溝部内に板体を差込んで固定することによってフランジ部の湾曲が矯正されかつ内容物をリブによって挟持する力が発生するようにしたことを特徴とするブリスター包装容器である。
【００１６】
本発明は、ブリスター包装容器の包装方法に係り、ドーム状に膨出形成した樹脂シートからなるブリスターカバーの収容部内に略筒状の内容物を収容し、該収容部の開口側を板体によって閉鎖して内容物を包装するブリスター包装容器の包装方法において、
収容部に内容物を収容したときに、内容物の最大径部に対応する部分に、開口側を除いて内容物の周囲に空間を有した状態で、開口側と膨出側天部内を除いて対向する部分に少なくとも一対設けたリブを当接させ、
リブが内容物に当接することによって収容部を拡開しかつフランジ部を湾曲させ、
該フランジ部の溝部内に板体を差込んで固定することによってフランジ部の湾曲を矯正させかつ内容物をリブによって挟持する力を発生させることを特徴とするブリスター包装容器の包装方法である。
【発明の効果】
【００１７】
本発明の請求項１〜２記載のブリスター包装容器およびブリスター包装容器の包装方法によれば、収容部内壁には、内容物の最大径部に対応する部分に、開口側を除いて内容物の周囲に空間を有するので外部からの衝撃が内容物に直接加わることがないので凹み等の変形や傷が内容物に生じることがない。また、開口側と膨出側天部内を除いて対向する部分に、内容物に当接して該内容物を挟圧するリブを少なくとも一対設けたので、収容する内容物には、リブが挟み付けて当接するので内容物のガタツキ及び回転を防止でき、ブリスター包装容器を店頭展示したときに内容物製品が回転することによって内容物の見せたい面が裏側に回る不具合が生じることが無く製品ディスプレイ性の低下を防止することができる。また、回り止めを内容物の形状に合わせることなく適宜のリブの形成でできるのでブリスターカバー製造コストを下げることができる。
【００１８】
なお、本発明において、ブリスターカバーのフランジ部には、溝部が一対対向して形成されており、その対向する溝部内に板体を差し込んで該板体をブリスターカバーに固定可能になっているので、溝部内の板体を差込むのみでブリスターカバーに板体を固定できるので、包装作業が簡易かつ短時間で済み、包装作業性の効率を上げることができる。
【００１９】
また、本発明において、ブリスターカバーは、収容部内壁に対向して設けたリブの間隔が、当該リブに対応する位置の内容物の径方向長さより短く形成し、収容部に内容物を収容したときに、リブが内容物に当接して収容部が拡開しかつフランジ部が湾曲し、フランジ部の溝部内に板体を差込んで固定することによってフランジ部の湾曲が矯正されかつ内容物をリブによって挟持する力が発生するので、板体を固定するだけで直ぐにリブに内容物挟持の力を発揮させることができる。
【発明を実施するための最良の形態】
【００２０】
以下、本発明の実施の形態を、添付図面を参照して説明する。
【００２１】
図１（ａ）、（ｂ）は、本発明の実施形態に係るブリスター包装容器の側面図、正面図（膨出側からの視図）、図２は同実施形態のブリスター包装容器の斜視図、図３（ａ）、（ｂ）は変形例に係るブリスター包装容器の側面図、正面図（膨出側からの視図）である。
【００２２】
図１および図２に示すように実施形態に係るブリスター包装容器は、ドーム状に膨出形成した収容部１０内に略筒状の内容物１２を収容する樹脂シートからなるブリスターカバー１４と、収容部１０の開口１４ａ側を閉鎖する板体１６とからなるブリスター包装容器に係るものである。
【００２３】
内容物１２は、アルミニウムやスチールなどの金属をブレス成形した本体容器１２ａ内に収納した液状薬剤や液状化粧品等の液体を先端部のプッシュボタン１２ｂを押し下げることによって噴射、噴出または注出させる液体容器製品である。本体容器１２ａは、落下したり、打撃が加えられたりすることによって変形し易い薄板金属材からなり、表面に商品名や商品内容の表示がされており、透明のブリスターカバー１４で覆うことによってその表示を見ることができ、かつ、変形を防止するようになっているものである。
【００２４】
詳しくは、前記ブリスター包装容器は、前記収容部１０内壁には、内容物１２の最大径部（図１の本体容器１２ａの外径）１２ｃに対応する部分に、開口１４ａ側を除いて内容物１２の周囲に空間１８を有し、かつ、開口１４ａ側と膨出側天部１４ｂ内を除いて対向する部分に、内容物１２に当接して該内容物１２を挟圧するリブ２０を３対（その他、１対、２対または４対以上設けることができ、少なくとも一対であればよい）設けたものである。
【００２５】
なお、ブリスターカバー１４の材質としては、ＰＰ（ポリプロピレン）、ＰＥ（ポリエチレン）、ＰＥＴ（ポリエチレンテレフタレート）、ＰＳ（ポリスチレン）等が好ましい。着色の有無、透明、半透明、不透明であるかは製品等の内容物１２のディスプレイ性で決定できる。ブリスターカバー１４は、各種成形技術によって上記収容部１０を膨出させるように樹脂形成したものが好ましい。
【００２６】
また、板体１６の台紙は、実施形態では、ボール紙などの厚紙類であるが、樹脂シートとして、ＰＰ（ポリプロピレン）、ＰＥ（ポリエチレン）、ＰＥＴ（ポリエチレンテレフタレート）、ＰＳ（ポリスチレン）等を用いることができる。
【００２７】
詳しく説明する。前記ブリスターカバー１４は、収容部１０の開口１４ａ周縁２２ａから平坦に展設したフランジ部２２を有する。このフランジ部２２は、当初図１に示すように、その周縁２２ａはフラップ状に延びており、この延びた部分を収容部１０膨出側表側の反対側の裏面側に折り返して（折り線２２ｃを図示している）の溝部２２ｂ，２２ｂを一対対向して形成する。図１、図２に示すように、その対向する溝部２２ｂ，２２ｂ内に板体１６を差し込んで該板体１６をブリスターカバー１４に固定するようになっている。
【００２８】
前記ブリスターカバー１４は、収容部１０内壁に対向して設けたリブ２０の間隔が、当該リブ２０に対応する位置の内容物１２の径方向長さ（容器状内容物１２の外径）より短く形成されている。
【００２９】
そして、収容部１０に内容物１２を収容したときに、リブ２０が内容物１２に当接して収容部１０が拡開しかつフランジ部２２が収容部１０の膨出側に上反りして湾曲し、この状態で、フランジ部２２の溝部２２ｂ，２２ｂ内に板体１６を差込んで固定することによってフランジ部２２の湾曲が矯正されかつ内容物１２をリブ２０によって挟持する力が発生するようにしている。
【００３０】
ブリスター包装容器の包装手順を説明する。
【００３１】
実施形態に係るブリスター包装容器において、図１、図２に示すように、ドーム状に膨出形成した樹脂シートからなるブリスターカバー１４の収容部１０内に略筒状の内容物１２を収容し、該収容部１０の開口１４ａ側を板体１６によって閉鎖して内容物１２を包装する際に、収容部１０に内容物１２を収容したときに、内容物１２の最大径部に対応する部分に、開口１４ａ側を除いて内容物１２の周囲に空間１８を有した状態で、開口１４ａ側と膨出側天部１４ｂ内を除いて対向する部分に少なくとも一対設けたリブ２０を当接させる。
【００３２】
リブ２０が内容物１２に当接することによって収容部１０を拡開しかつフランジ部２２を湾曲させる。
【００３３】
該フランジ部２２の溝部２２ｂ，２２ｂ内に板体１６を差込んで固定することによってフランジ部２２の湾曲を矯正させかつ内容物１２をリブ２０によって挟持する力を発生させる。
【００３４】
実施形態に係る収容部１０内壁には、内容物１２の最大径部に対応する部分に、開口１４ａ側を除いて内容物１２の周囲に空間１８を有するので外部からの衝撃が内容物１２に直接加わることがないので凹み等の変形や傷が内容物１２に生じることがない。
【００３５】
また、開口１４ａ側と膨出側天部１４ｂ内を除いて対向する部分に、内容物１２に当接して該内容物１２を挟圧するリブ２０を少なくとも一対設けたので、収容する内容物１２には、リブ２０が挟み付けて当接するので内容物１２のガタツキ及び回転を防止できる。したがって、ブリスター包装容器を店頭展示したときに内容物１２製品が回転することによって内容物１２の見せたい面が裏側に回る不具合が生じることが無く製品ディスプレイ性の低下を防止することができる。
【００３６】
なお、ブリスターカバー１４は、フランジ部２２は、その周縁２２ａが収容部１０膨出側の反対側に折り返されて溝部２２ｂ，２２ｂが一対対向して形成されており、その対向する溝部２２ｂ，２２ｂ内に板体１６を差し込んで該板体１６をブリスターカバー１４に固定可能になっているものにすれば、溝部２２ｂ，２２ｂ内の板体１６を差込むのみでブリスターカバー１４に板体１６を固定できるので、包装作業が簡易かつ短時間で済み、包装作業性の効率を上げることができる。また、回り止めを内容物の形状に合わせることなく適宜のリブの形成でできるのでブリスターカバー製造コストを下げることができる。
【００３７】
また、ブリスターカバー１４は、収容部１０内壁に対向して設けたリブ２０の間隔が、当該リブ２０に対応する位置の内容物１２の径方向長さより短く形成し、収容部１０に内容物１２を収容したときに、リブ２０が内容物１２に当接して収容部１０が拡開しかつフランジ部２２が湾曲し、フランジ部２２の溝部２２ｂ，２２ｂ内に板体１６を差込んで固定することによってフランジ部２２の湾曲が矯正されかつ内容物１２をリブ２０によって挟持する力が発生するようにすれば、板体１６を固定するだけで直ぐにリブ２０に内容物１２挟持の力を発揮させることができる。
【００３８】
図３に、本実施形態のブリスター包装容器の変形例を示す。この変形例に係るブリスター包装容器では、リブ２０が２対形成されている。その他構成および作用効果は実施形態と同様のため、同様部分に同一符号を付している。
【００３９】
また、本発明のブリスター包装容器は、上記した実施の形態に限定されるものではなく、本発明の要旨を逸脱しない範囲内において種々変更を加え得ることは勿論である。ブリスター包装容器で包装する内容物１２製品は液体容器製品に限定されず、筒状容器の食品製品や日用品、電気製品等の概略筒状の各種製品に適用することができる。
【００４０】
また、リブは実施形態では、２対または３対設けられているが、その他、１対または４対以上設けることができる。
【図面の簡単な説明】
【００４１】
【図１】（ａ）、（ｂ）は、本発明の実施形態に係るブリスター包装容器の側面図、正面図である。
【図２】同第１実施形態のブリスター包装容器の斜視図である。
【図３】（ａ）、（ｂ）は変形例に係るブリスター包装容器の側面図、正面図（膨出側からの視図）である。
【符号の説明】
【００４２】
１０  収容部
１２  内容物
１２ａ  本体容器
１２ｂ  プッシュボタン
１４  ブリスターカバー
１４ａ  開口
１４ｂ  膨出側天部
１６  板体
１８  空間
２０  リブ
２２  フランジ部
２２ａ  周縁
２２ｂ，２２ｂ  溝部
２２ｃ  折り線
【図１】
0005074180.tif 000002
【図２】
0005074180.tif 000003
【図３】
0005074180.tif 000004